(57)【要約】【課題】本発明は、湯飲み茶碗の外底面を利用し、この外底面に香炉を形成して一体化することにより、１つの飲食容器によってお茶と香の両方を楽しむことが可能であり、かつ、収納及び携帯に便利な香炉部付飲食容器の提供を目的とする。【解決手段】本発明に係る香炉部付飲食容器Ａは、飲食容器Ａの外底面１において通気孔３を設けた糸底２の内方に香炉部１０を形成し、該香炉部１０は、その中央に空気流通用凹部１１を備え、その周囲に香載置用の凸部１２と香差し込み用の凹部１３とを備えてなるものである。【選択図】        図２
2005052380.tif 000002
【特許請求の範囲】
【請求項１】
飲食容器の外底面に香載置用の凸部を有する香炉部を形成したことを特徴とする香炉部付飲食容器。
【請求項２】
飲食容器の外底面に香差し込み用の凹部を有する香炉部を形成したことを特徴とする香炉部付飲食容器。
【請求項３】
飲食容器が、その外底面に糸底を形成した飲食容器であって、該糸底の内方側を香炉部としたことを特徴とする請求項１又は２に記載の香炉部付飲食容器。
【請求項４】
糸底に通気孔を形成したことを特徴とする請求項３に記載の香炉部付飲食容器。
【請求項５】
飲食容器の外底面中央に空気流通用凹部を形成したことを特徴とする請求項１〜４のいずれか１項に記載の香炉部付飲食容器。
【請求項６】
飲食容器を、陶磁器製の湯飲み茶碗としたことを特徴とする請求項１〜５のいずれか１項に記載の香炉部付飲食容器。
【発明の詳細な説明】
【技術分野】
【０００１】
本発明は、飲食容器、特に陶磁器製湯のみ茶碗の外底面に香炉部を形成した香炉部付飲食容器に関する。
【背景技術】
【０００２】
従来は、湯飲み茶碗と香炉とが別々に製作され、それぞれ別体のものであった。ところで、日常使用する湯飲み茶碗は、自己専用のものを決めて愛用する習慣がある。また、香は、その種類により異なった香りを発するため、香を楽しむ人にとっては、香りの違いによりそれぞれ好みが分かれ、自分の好みの香を決めて愛用することが一般的である。このように湯飲み茶碗と香とは個人個人独自に愛用するものを決める点で共通するものである。また、香を楽しむ場においてお茶を楽しむことも多く、湯飲み茶碗と香炉とが共通の場で使用されることも決して少なくないものである。
【発明の開示】
【発明が解決しようとする課題】
【０００３】
上記のように、個人個人独自に愛用する湯飲み茶碗と香とがあり、また湯飲み茶碗と香炉とが共通の場で使用される場合がある現状において、未だ湯飲み茶碗と香炉とが一体に製作されたものは見当たらず、またそのような発案もされていないのが実情である。そして、従来のように湯飲み茶碗と香炉とがそれぞれ別体であることによって不便が感じられる場合がしばしば発生する。例えば、湯飲み茶碗と香炉とをそれぞれ別々に収納すると、使用する際に湯飲み茶碗と香炉とのそれぞれを用意するのに手間が掛かり、場合によっては湯飲み茶碗と香炉とのいずれか一方の収納場所を忘れてしまって好みのものが用意できなくなるようなことも起こり得る。また、湯飲み茶碗と香炉とを携帯する必要が生じた場合などに、どちらか一方を携帯するのを忘れるということもあり、また携帯に嵩張るという欠点がある。
【０００４】
そこで、本発明者は、鋭意研究を重ねた結果、湯飲み茶碗の外底面を利用し、この外底面に香炉を形成して一体化することにより、１つの飲食容器によってお茶と香の両方を楽しむことが可能であり、かつ、収納及び携帯に便利な香炉部付飲食容器を発明した。
【課題を解決するための手段】
【０００５】
本発明に係る香炉部付飲食容器は、飲食容器の外底面に香載置用の凸部を有する香炉部を形成したことを特徴とするものである。
【０００６】
このように構成すると、香炉として使用する場合は、飲食容器を逆さまにして香炉部を上方に向け、香炉部の前記凸部上に香を載置して香を焚くと、凸部の周囲は空気の流通が良好であるため香に絶えず空気が注がれるので、香が中途で消えることがなく、また、香が発する芳香を拡散させる。
【０００７】
また、本発明に係る香炉部付飲食容器は、飲食容器の外底面に香差し込み用の凹部を有する香炉部を形成したことを特徴とするものである。
【０００８】
このように構成すると、香炉として使用する場合は、飲食容器を逆さまにして香炉部を上方に向け、香炉部の前記凹部に線香を差し込んで使用する。
【０００９】
上記の各香炉部付飲食容器において、飲食容器が、その外底面に糸底を形成した飲食容器であって、該糸底の内方側を香炉部としてもよい。この場合には、糸底が防壁となり、香を焚くことにより生じる灰が飲食容器の外底面上に停留し、飲食容器の周囲に落下するのを防止することができる。
【００１０】
また、上記の香炉部付飲食容器において、糸底に通気孔を形成してもよい。この場合には、糸底を有していても香炉部に空気が良好に流通する。
【００１１】
さらに、上記の各香炉部付飲食容器において、飲食容器の外底面中央に空気流通用凹部を形成してもよい。この場合には、香炉部における空気の循環をさらに向上させる。
【００１２】
さらにまた、上記の各香炉部付飲食容器において、飲食容器を陶磁器製の湯飲み茶碗としてもよい。この場合には、耐熱性に優れ、かつ、陶磁器独特の色合い及びその重量から高級感を感じさせる。また、その製造において湯飲み茶碗はもちろん香炉部も含めてそれらの形状及び柄・模様を自己の好みに合わせて製作することが可能となる。
【発明の効果】
【００１３】
本発明に係る香炉部付飲食容器は、飲食容器の外底面に香載置用の凸部を有する香炉部を形成したので、飲食容器として使用する場合には、外底面の香炉部が使用上支障になることはなく、また、香炉として使用する場合は、凸部上に香を載置して香を焚くことができ、凸部の周囲は空気の流通が良好であるため香に絶えず空気が注がれるので、香が中途で消えることを防止でき、空気の流通が良好であるため、香から発せられる芳香が拡散して周囲に漂わせる効果を果たす。
【００１４】
また、本発明に係る香炉部付飲食容器は、飲食容器の外底面に香差し込み用の凹部を有する香炉部を形成すると、飲食容器として使用する場合には、前記と同様に、外底面の香炉部が使用上支障になることはなく、また、香炉として使用する場合は、香炉部の前記凹部に簡単に線香を立てて使用できるので便利である。
【００１５】
上記の各香炉部付飲食容器において、飲食容器が、その外底面に糸底を形成した飲食容器であって、該糸底の内方側を香炉部とすると、糸底が防壁となり、香を焚くことにより生じる灰が飲食容器の外底面上に停留し、飲食容器の周囲に落下するのを防止することができるので、周囲の床面などを汚さずにすむ利点がある。
【００１６】
また、上記の香炉部付飲食容器において、糸底に通気孔を形成すると、香炉部に空気が良好に流通するので、香が中途で消えることを防止でき、空気の流通が良好であるため、香から発せられる芳香が拡散して周囲に漂わせる利点がある。
【００１７】
さらに、上記の各香炉部付飲食容器において、飲食容器の外底面中央に空気流通用凹部を形成すると、香炉部における空気の循環をさらに向上させ、香が中途で消えることを防止でき、空気の流通が良好であるため、香から発せられる芳香が拡散して周囲に漂わせる効果がある。
【００１８】
さらにまた、上記の各香炉部付飲食容器において、飲食容器を陶磁器製の湯飲み茶碗とすると、耐熱性に優れ、かつ、陶磁器独特の色合い及びその重量から高級感を感じさせる利点がある。また、その製造において湯飲み茶碗はもちろん香炉部も含めてそれらの形状及び柄・模様を自己の好みに合わせて製作することが可能であり、独自のものを製作できる利点がある。
【００１９】
以上のように本発明に係る香炉部付飲食容器は、飲食容器に香炉部を一体化したものであるから、お茶を楽しむと共に、香の香りを満喫でき、アロマセラピーにも使用できる商品価値の高いものである。
【発明を実施するための最良の形態】
【００２０】
以下に、本発明に係る香炉部付飲食容器の構成を、添付の図面に基づいて、詳細に説明する。
【００２１】
図１は本実施例に係る香炉部付飲食容器の上面側から見た斜視図であり、図２は前記香炉部付飲食容器の下面側から見た斜視図であり、図３は前記香炉部付飲食容器を逆さまにした状態の中央縦端面図であり、図４は前記香炉部付飲食容器を逆さまにし、香炉部に香を載置して焚いている状態を示す使用状態図であり、図５は図４の中央縦端面図であり、図６は前記香炉部付飲食容器を逆さまにし、香炉部に線香を立てて焚いている状態を示す使用状態図であり、図７は図６の中央縦端面図であり、図８は糸底の通気孔に関する変更例を示す斜視図である。
【００２２】
各図において、Ａは香炉部付飲食容器としての陶磁器製湯飲み茶碗を示し、該湯飲み茶碗Ａの外底面１にはその周囲から垂下する環状壁よりなる糸底２が形成されている。なお、本実施例では飲食容器として湯飲み茶碗を採用しているが、このような碗型のほか、コップ型、コーヒーカップ型、おうす茶わん型、鉢型、皿形等の種々の形態の飲食容器を採用することが可能である。また、糸底２が形成されていない飲食容器を使用することも可能である。
【００２３】
前記糸底２の内方側には香炉部１０が形成されている。なお、糸底２には糸底２の外方側から内方側に空気が流通するように複数の通気孔３が形成されている。なお、本実施例における通気孔３は切り欠き溝より構成しているが、図８に示すように通気孔３’を貫通孔により形成してもよい。
【００２４】
香炉部１０は、その中央に空気流通用凹部１１が形成されており、香炉部１０における空気の循環を向上させている。
【００２５】
また、前記空気流通用凹部１１の周囲には香載置用の複数の凸部１２が設けられており、図４に示すように該凸部１２上に香Ｂを載置することが可能になっている。そして、凸部１２上に載置した香Ｂを焚くと、凸部１２の周囲に隙間があるため、空気の流通が良好である。したがって、香Ｂに絶えず空気がゆきわたるので、香が中途で消えるようなことがない。またこのように空気の流通が良好であるため、香から発せられる芳香が拡散し、周囲に漂わせる効果を果たす。
【００２６】
さらに、香炉部１０には空気流通用凹部１１の周囲に前記の香載置用の複数の凸部１２のほか、香差し込み用の凹部１３が形成されており、図６及び図７に示すように該凹部１３に線香Ｃを差し込むだけで、簡単に線香Ｃを立てることができるので便利である。
【００２７】
また、香又は線香を焚いている際に灰が生じるが、本実施例においては、前記のように糸底２を形成した湯飲み茶碗Ａを使用しているので、該糸底２は、防壁となり、灰が湯飲み茶碗の外底面上に形成した香炉部１０内に停留し、湯飲み茶碗Ａの周囲に落下するのを防止することができるので、周囲の床面などを汚さずにすむ利点がある。
【００２８】
本実施例における湯飲み茶碗Ａは陶磁器製のものを採用しているが、これに限られるものではなく、耐熱ガラス製、耐熱合成樹脂製、ステンレス、銅又はアルミニウム等の金属製でも使用可能である。また、陶磁器製であれば、耐熱性に優れ、かつ、陶磁器が備える独特の色合い及びその重量から高級感を感じさせる利点がある。また、その製造において湯飲み茶碗はもちろん香炉部も含めてそれらの形状及び柄・模様を自己の好みに合わせて製作することが可能であり、独自のものを製作できる利点がある。
【産業上の利用可能性】
【００２９】
本発明に係る香炉部付飲食容器は、香炉部を備えた飲食容器であって、従来にない新規な飲食容器であるため、食器産業を活性化し、また、香を楽しむ機会が増えるため、香料産業の活性化も果たせ、産業上極めて有用なものである。
【図面の簡単な説明】
【００３０】
【図１】本発明の実施例に係る香炉部付飲食容器の上面側から見た斜視図である。
【図２】本発明の実施例に係る香炉部付飲食容器において、前記香炉部付飲食容器の下面側から見た斜視図である。
【図３】本発明の実施例に係る香炉部付飲食容器において、前記香炉部付飲食容器を逆さまにした状態の中央縦端面図である。
【図４】本発明の実施例に係る香炉部付飲食容器において、前記香炉部付飲食容器を逆さまにし、香炉部に香を載置して焚いている状態を示す使用状態図である。
【図５】図４の中央縦端面図である。
【図６】本発明の実施例に係る香炉部付飲食容器において、前記香炉部付飲食容器を逆さまにし、香炉部に線香を立てて焚いている状態を示す使用状態図である。
【図７】図６の中央縦端面図である。
【図８】糸底の通気孔に関する変更例を示す斜視図である。
【符号の説明】
【００３１】
Ａ・・・香炉部付飲食容器としての陶磁器製湯飲み茶碗
Ｂ・・・香
Ｃ・・・線香
１・・・外底面
２・・・糸底
３・・・通気孔
３’・・通気孔
１０・・香炉部
１１・・空気流通用凹部
１２・・香載置用の凸部
１３・・香差し込み用の凹部
【図１】
2005052380.tif 000003
【図２】
2005052380.tif 000004
【図３】
2005052380.tif 000005
【図４】
2005052380.tif 000006
【図５】
2005052380.tif 000007
【図６】
2005052380.tif 000008
【図７】
2005052380.tif 000009
【図８】
2005052380.tif 000010